(57)【要約】【課題】田畑等の周りに設置している捕獲檻、捕獲なわ、電気柵、金網ネット、トタン等のハード対策中心の「封じ込め」固定物は、設置後も定期的に農家及び設置賛同者による維持管理が必要であり、さらには自然環境を壊し、イノシシの学習能力に十分に対応できていない現状にある。【解決手段】イノシシの学習能力を活用し、従来のハード対策に加え、農家が簡単に設置・管理等ができ、イノシシ本来のすみかである山に返すソフトな対応策が本発明である。本発明は、先に課題としてあげた自然環境を破壊することなく、イノシシの学習による自らの行動で田畑への侵入を防護し、さらには、イノシシが行動するエリアと人が生活するエリアの住み分けがこのニーム種子オイルを使用したイノシシ等獣害防護ネット網によって成り立つこととなる、これまでの発想にない素晴らしい発明になったのである。【選択図】図1
2015092839.tif 000002
【特許請求の範囲】
【請求項１】
ニーム種子オイル特有の成分であるリモノイド（天然化合物であるアザディラクチン、メリアントリオール、サラニン等をいう。）を含む、樹齢３年以上のニーム木から、収穫した完熟ニーム果実の果肉を取り除き丁寧に洗い、ニーム種子をそのまま2日天日干し乾燥して冷却圧搾させ、抽出したニーム種子オイルにジュートネット（ココナッツ及びヤシネット等天然繊維を含む。以下、ジュートネットという。）をドブ漬けし、アルミ袋に挿入してなるイノシシ等獣害防護ネット網製造方法。
【発明の詳細な説明】
【技術分野】
【０００１】
本発明は、ニーム種子オイルにジュートネットをドブ漬けしたその製造方法に関するもので、さらに詳しくは、ニーム種子オイル液にジュートネットをドブ漬けし、アルミ袋に挿入するその製造方法に関するものである。
【背景技術】
【０００２】
インド4,000年来、アーユルヴェーダ（生命科学）にニーム木部位の利用の記述があり、インドの農家は、ニーム種子を冷却圧搾してニーム種子ケーキ（粉状）、ニーム種子オイルを抽出し、これらを投入（土の中に混和及び土の表面に撒く並びに作物に散布する）した畑に、イノシシや豚が入って来ないとの言い伝えがインドの農家にある。また、2011年にインドで現地の農家から、現在もこれらを投入した畑に同様の事象を体験していると言うことだ。
【０００３】
2011年5月に高松市内の農家で畑の周囲に電気柵を張っているがイノシシが毎日畑に入り、芋を食べている話があった。この畑全面にニームペレット（粒状）を撒き、イノシシの行動を観察したところ、92日目の朝まで、この畑にイノシシの侵入がなかった。
2012年2月に香川県三豊市の竹林にイノシシが入り、タケノコを食べている話があった。この竹林にニームペレットとニーム種子オイルを入れたペットボトルを適時の間隔で吊るしたところ、イノシシの侵入が止まった。
2012年9月〜2013年1月に徳島県で捕獲したイノシシを飼っている効果の協力を得て、ニーム種子オイルを使った同一試験を繰り返しイノシシに行った。500倍希釈したニーム種子オイルをイノシシに散水すると、毎回、イノシシは悲鳴を上げて嫌がるまたは逃げる行動を取った。
2013年5月にニームペレットを直接食べさせる試験を行ったところ、ニームペレットを食べた後、イノシシがニームペレットを嫌がる行動を見せた。そして、ニームペレットに近寄らない行動を取った。
【０００４】
ニームケーキ及びニームオイルの安全性については、農林水産省の平成18年度の特定農薬候補資材の水産動植物に対する安全性評価に関わる実証試験及び平成17年11月に厚生労働大臣が人の健康を損なうおそれがないことが明らかな物質にニームオイルを明記している。
【０００５】
日本では、最近特に、田畑等が鳥獣害による被害が多発しており、これらの被害予防等対策に国、地方自治体が苦慮しており、毎年多額の予算を組んで鳥獣害被害防止等事業に取り組んでいる。
【０００６】
一般的に、鳥獣害からの被害を予防するための方法として捕獲檻、捕獲なわ、電気柵、金網ネット、トタン等のハード対策中心の「封じ込め」固定物の設置が行われている。これらの予防策は、単独でまたはいくつかを組み合わせて鳥獣害からの被害の防止を図っている。
【０００７】
また、捕獲檻、捕獲なわ、電気柵、金網ネット、トタン等のハード対策中心の「封じ込め」固定物は、設置時に人手が必要な場合があり、そして、設置後も定期的に農家及び設置賛同者による維持管理が重要であり、設置年数の経過とともにこれらの維持管理に農家及び設置賛同者の足並みが乱れ、設置エリアの大きな問題にもなっている。鳥獣害被害の対応策への需要も大幅に増えており、防護柵等の設置及び恒久的な維持管理が容易にできる対策の必要性を考えた。鳥獣害の中で、本件はイノシシを対象とした予防策をニーム種子オイルとジュートネットを組み合わせて製造したものである。
【０００８】
本発明は、鳥獣害被害の対応策にニーム種子オイルとジュートネットを使って農家が簡単に防護ネットを設置でき、設置後の維持管理がほとんど不要で、設置後の経過によってジュートネットは自然に土に帰る特性を利用しており、ニームの原産地インドなどにおいてニーム種子ケーキ（ペレット（粒状）を含む）及びニーム種子オイルを直接田畑に投入してその有効利用が実証されている
【０００９】
その例として、インドでは、ニーム種子ケーキ（ペレット（粒状）を含む）及びニーム種子オイルを投入した田畑等にイノシシ、豚の侵入がない。
【先行技術文献】
【特許文献】
【００１０】
【特許文献１】特開2003−158986
【特許文献２】特開平06−237680
【発明の概要】
【発明が解決しようとする課題】
【００１１】
前記のニーム種子オイルは、完熟したニーム果実を摘採→洗浄→天日干し→乾燥ニーム種子の順にそった加工工程で製造されており、摘採工程でニーム果実のニーム木発芽からの年数、洗浄工程でニーム種子の選別及び天日干し工程での日数を確立し、ニーム種子に含まれる天然化合物の成分含有量を管理している。
【００１２】
本発明は、上記の問題点を解決することを課題として開発されたもので、インド政府の農業プロジェクトを実行するニーム財団が科学的にニームの働きを実証・検証するために使う、同じニーム種子オイルと天然繊維資材のジュートネットを原料に使った防護ネットおよびその製造方法を提供することを目的とするものである。
【課題を解決するための手段】
【００１３】
上記の課題を解決し、その目的を達成する手段として、本発明では、樹齢３年以上のニーム木から収穫した完熟のニーム果実の果肉を取り除き丁寧に洗い、ニーム種子をそのまま2日間天日干し、冷却圧搾してフィルターを通して抽出したニーム種子オイルを採用した。
【００１４】
ここで、本発明に用いられるニーム種子オイルとジュートネットは、化学肥料や除草剤を一切使わずに育てた無農薬栽培のニーム木及び麻を摘採しており、自然環境を考慮した自然にやさしいそして人の健康を害しない原料として天然資材を用いる。
【００１５】
以下に、本発明に係るニーム種子オイルを使用したイノシシ防護ネット網の製造方法を具体的実施例で説明すると、化学肥料や除草剤を使わずに育てた無農薬栽培のニーム種子オイルに天然繊維のジュートネットを浸け込みした。
【発明の効果】
【００１６】
以上のように、本発明は、イノシシが食べると嫌がるニーム種子オイルをジュートネットに吸収させ、自然環境に配慮した農作業に邪魔にならない、農家が簡単に畑等の周囲に設置でき、イノシシ被害を予防できる防護ネットを得ることができるものである。
【図面の簡単な説明】
【００１７】
【図１】本発明のニーム種子オイルを使用したイノシシ防護ネット網の製造方法のフローチャートである。
【図２】（a）〜（c）はイノシシ防護ネットの設置を表す図である。
【符号の説明】
【００１８】
1  麻紐ネット網
2  支柱（竹竿）
3  麻紐ネット網取付用紐（麻紐ネット網に約80cm間隔で取付けている） 
【図１】
2015092839.tif 000003
【図２】
2015092839.tif 000004